(57)【要約】【課題】ハードディスクドライブのサーボパターン記録方法を提供する。【解決手段】本発明のハードディスクドライブのサーボパターン記録方法は、多数のアンモナイトサイクルを有するマスタパターンを用いてハードディスクドライブのディスク上にレファレンスサーボパターンを記録させることによって、ハードディスクドライブのディスク上に、レファレンスサーボパターンの記録時間を短縮し、コストを低減し、かつユーザが所望するレファレンスサーボパターンを簡便に記録させることができる。【選択図】図５
2010250930.tif 000002
【特許請求の範囲】
【請求項１】
ハードディスクドライブのディスク上にレファレンスサーボパターンを記録するためのマスタパターンを製作する段階と、
前記マスタパターンと前記ディスクとを磁化させるマグネットを用いて前記ディスク上に前記レファレンスサーボパターンを記録する段階と、を含み、
前記マスタパターンは、前記レファレンスサーボパターンと実質的に同じパターンを有し、外側から内側に向けて放射線状に形成される多数のアンモナイトサイクルを含むことを特徴とするハードディスクドライブのサーボパターン記録方法。
【請求項２】
前記レファレンスサーボパターンを記録する段階後に、
前記レファレンスサーボパターンを用いてハードディスクドライブの前記ディスク上に最終サーボパターンを記録する段階を更に含むことを特徴とする請求項１に記載のハードディスクドライブのサーボパターン記録方法。
【請求項３】
前記レファレンスサーボパターンは、
等間隔に配される多数のビットと、
前記多数のビットの間に形成される多数のシンクビットと、を含むことを特徴とする請求項１に記載のハードディスクドライブのサーボパターン記録方法。
【請求項４】
前記アンモナイトサイクルは、
等間隔に配される多数のビットを含む多数のサイクルパターンと、
前記多数のサイクルパターンの間に形成され、多数のシンクビットを有する多数のシンクパターンと、を含むことを特徴とする請求項１に記載のハードディスクドライブのサーボパターン記録方法。
【請求項５】
前記シンクビットのサイズは、前記サイクルパターンの前記ビットのサイズの半分であることを特徴とする請求項４に記載のハードディスクドライブのサーボパターン記録方法。
【請求項６】
前記アンモナイトサイクルは、連続的に形成されることを特徴とする請求項１に記載のハードディスクドライブのサーボパターン記録方法。
【請求項７】
前記アンモナイトサイクルは、前記レファレンスサーボパターンを基準に最終サーボパターンをコピーするためのサーボサンプリング区間にのみ断続的に形成されることを特徴とする請求項１に記載のハードディスクドライブのサーボパターン記録方法。
【請求項８】
前記マスタパターンを製作する段階は、
基板にフォトレジスト層をコーティングする段階と、
コーティングされた前記フォトレジスト層を露光する段階と、
露光された前記フォトレジスト層を選択的に除去するために前記フォトレジスト層を現像する段階と、
前記フォトレジスト層が除去された前記基板にモールドを注いで硬化させる段階と、を含むことを特徴とする請求項１に記載のハードディスクドライブのサーボパターン記録方法。
【請求項９】
前記フォトレジスト層を露光する段階は、電子ビームを用いて露光する段階であることを特徴とする請求項８に記載のハードディスクドライブのサーボパターン記録方法。
【発明の詳細な説明】
【技術分野】
【０００１】
本発明は、ハードディスクドライブのサーボパターン記録方法に係り、より詳細には、ハードディスクドライブのディスク上に、レファレンスサーボパターンの記録時間を短縮し、コストを低減し、かつユーザが所望するレファレンスサーボパターンを簡便に記録することができるハードディスクドライブのサーボパターン記録方法に関する。
【背景技術】
【０００２】
ハードディスクドライブ（Ｈａｒｄ  Ｄｉｓｋ  Ｄｒｉｖｅ：以下、ＨＤＤ）は、データ情報を含んだデジタル電子パルスを永久的な磁場に変えてディスクにデータを記録又はディスクからデータを再生することができるデータ保存装置である。このようなＨＤＤは、大量のデータを高速で記録及び再生することができる長所によって、コンピュータシステムの代表的な補助記憶装置として活用されている。
【０００３】
ＨＤＤにデータを正常に読出し／書込み動作を行うためには、ディスクのサーボトラック（ｓｅｒｖｏ  ｔｒａｃｋ）に記録されているサーボパターン（ｓｅｒｖｏ  ｐａｔｔｅｒｎ）を読み出して正確な位置を探すことから始まる。
【０００４】
サーボパターンは、一般的にサーボライター（Ｓｅｒｖｏ  Ｗｒｉｔｅｒ）を用いてディスク上に記録されるが、サーボライターを用いてディスク上にサーボパターンを記録する方法は、非反復的なランアウト（Ｎｏｎ−Ｒｅｐｅａｔａｂｌｅ  Ｒｕｎ  Ｏｕｔ：ＮＲＲＯ）、ディスク揺れ（Ｄｉｓｋ  Ｆｌｕｔｔｅｒ）及びモータの振動などによって記録の精度が落ち、位置設定器及びエンコーダの使用によってサーボ記録過程に関連したコストを増大させる問題点がある。
【０００５】
このような問題点を改善するために、セルフサーボ記録方法（Ｓｅｌｆ  Ｓｅｒｖｏ  Ｔｒａｃｋ  Ｗｒｉｔｅ：ＳＳＴＷ）が開発され、セルフサーボ記録方法は、１次的にディスク上にレファレンスサーボ情報を記録し、２次的にＨＤＤがレファレンスサーボ情報を参照して、最終サーボ情報を記録する方法である。特に、最近、セルフサーボ記録方法のうちプリンティドメディア（Ｐｒｉｎｔｅｄ  Ｍｅｄｉａ：ＰＭ）を用いてディスク上にレファレンスサーボパターンを記録する方法についての研究が進められているが、いまだにプリンティドメディアにおいてサーボパターンの品質を向上させながらも、実際に量産性まで取り揃えたレファレンスサーボパターンの記録方法は開発されていない実情である。
【０００６】
従って、プリンティドメディアを用いて、ＨＤＤのディスク上に、レファレンスサーボパターンの記録時間を短縮し、コストを低減し、かつユーザが所望するレファレンスサーボパターンを簡便に記録することができるサーボパターン記録方法の開発が要求される。
【発明の概要】
【発明が解決しようとする課題】
【０００７】
本発明は、上記従来の問題点に鑑みてなされたものであって、本発明の目的は、ＨＤＤのディスク上に、レファレンスサーボパターンの記録時間を短縮し、コストを低減し、かつユーザが所望するレファレンスサーボパターンを簡便に記録することができるＨＤＤのサーボパターン記録方法を提供することにある。
【課題を解決するための手段】
【０００８】
上記目的を達成するためになされた本発明のハードディスクドライブ（ＨＤＤ）のサーボパターン記録方法は、ＨＤＤのディスク上にレファレンスサーボパターン（Ｒｅｆｅｒｅｎｃｅ  Ｓｅｒｖｏ  Ｐａｔｔｅｒｎ）を記録するためのマスタパターン（Ｍａｓｔｅｒ  Ｐａｔｔｅｒｎ）を製作する段階と、前記マスタパターンと前記ディスクとを磁化させるマグネット（Ｍａｇｎｅｔ）を用いて前記ディスク上に前記レファレンスサーボパターンを記録する段階と、を含み、前記マスタパターンは、前記レファレンスサーボパターンと実質的に同じパターンを有し、外側から内側に向けて放射線状に形成される多数のアンモナイトサイクル（Ａｍｍｏｎｉｔｅ  Ｃｙｃｌｅ）を含むことを特徴とする。
前記ＨＤＤのサーボパターン記録方法は、前記レファレンスサーボパターンを記録する段階後に、前記レファレンスサーボパターンを用いてＨＤＤの前記ディスク上に最終サーボパターンを記録する段階を更に含みうる。
前記レファレンスサーボパターンは、等間隔に配される多数のビットと、前記多数のビットの間に形成される多数のシンクビットと、を含みうる。
前記アンモナイトサイクルは、等間隔に配される多数のビットを含む多数のサイクルパターン（Ｃｙｃｌｅ  Ｐａｔｔｅｒｎ）と、前記多数のサイクルパターンの間に形成され、多数のシンクビットを有する多数のシンクパターン（Ｓｙｎｃ  Ｐａｔｔｅｒｎ）と、を含みうる。
前記シンクビットのサイズは、前記サイクルパターンの前記ビットのサイズの半分であり得る。
前記アンモナイトサイクルは、連続的に形成される。
前記アンモナイトサイクルは、前記レファレンスサーボパターンを基準に最終サーボパターンをコピーするためのサーボサンプリング区間にのみ断続的に形成される。
前記マスタパターンを製作する段階は、基板にフォトレジスト層をコーティングする段階と、コーティングされた前記フォトレジスト層を露光する段階と、露光された前記フォトレジスト層を選択的に除去するために前記フォトレジスト層を現像する段階と、前記フォトレジスト層が除去された前記基板にモールド（Ｍｏｌｄ）を注いで硬化させる段階と、を含みうる。
前記フォトレジスト層を露光する段階は、電子ビーム（Ｅ−Ｂｅａｍ）を用いて露光する段階であり得る。
【発明の効果】
【０００９】
本発明によれば、多数のアンモナイトサイクルを有するマスタパターンを用いてＨＤＤのディスク上にレファレンスサーボパターンを記録させることによって、ＨＤＤのディスク上に、レファレンスサーボパターンの記録時間を短縮し、コストを低減し、かつユーザが所望するレファレンスサーボパターンを簡便に記録させることができる。
【図面の簡単な説明】
【００１０】
【図１】本発明の一実施形態によるハードディスクドライブのサーボパターン記録方法が適用されるハードディスクドライブの部分分解斜視図である。
【図２】図１のハードディスクドライブにおけるディスク領域の概略的な平面図である。
【図３】図１のハードディスクドライブにおける任意のトラックのデータフォーマットを示す図である。
【図４】図３に示したサーボセクターの詳細な構成を示す図である。
【図５】本発明の一実施形態によるハードディスクドライブのサーボパターン記録方法のフローチャートである。
【図６】図５に記載したマスタパターンの形状を概略的に示す模式図である。
【図７】図６のＡ部分の拡大図である。
【図８】図５のマスタパターンを用いてハードディスクドライブのディスク上にレファレンスサーボパターンを記録する段階の原理を示す模式図である。
【図９】ディスク上に形成されたレファレンスサーボパターンを用いて最終サーボパターンを記録する原理を示す模式図である。
【図１０】本発明の他の実施形態によるディスク上に形成されたレファレンスサーボパターンを用いて最終サーボパターンを記録する原理を示す模式図である。
【発明を実施するための形態】
【００１１】
以下、本発明のハードディスクドライブ（ＨＤＤ）のサーボパターン記録方法を実施するための形態を、図面を参照しながら詳細に説明する。但し、本発明を説明するに当って、既に公知の機能或いは構成についての説明は、本発明の要旨を明瞭にするために省略する。
【００１２】
図１は、本発明の一実施形態によるＨＤＤのサーボパターン記録方法が適用されるＨＤＤの部分分解斜視図である。
【００１３】
図１を参照すると、ＨＤＤ１は、データを記録保存するディスク１０と、ディスク１０を支持して回転させるスピンドルモータ２０と、ディスク１０上にデータを記録し、ディスク１０上からデータを判読するヘッドスタックアセンブリー３０（ＨＳＡ：Ｈｅａｄ  Ｓｔａｃｋ  Ａｓｓｅｍｂｌｙ）と、これら構成部品が組み立てられるベース４０と、ベース４０の下部に結合され、大部分の回路部品をＰＣＢ（Ｐｒｉｎｔｅｄ  Ｃｉｒｃｕｉｔ  Ｂｏａｒｄ）上に装着して各種の部品を制御する印刷回路基板組立体５０（ＰＣＢＡ：Ｐｒｉｎｔｅｄ  Ｃｉｒｃｕｉｔ  Ｂｏａｒｄ  Ａｓｓｅｍｂｌｙ）と、ベース４０の上部を覆うカバー６０とを備える。
【００１４】
ヘッドスタックアセンブリー３０は、ディスク１０上にデータを記録し、ディスク１０上からデータを判読するための運搬体（Ｃａｒｒｉａｇｅ）であって、ディスク１０上にデータを記録し、ディスク１０上からデータを判読するための読み取り／書き込みヘッド３１と、読み取り／書き込みヘッド３１がディスク１０上のデータをアクセスできるように、ピボット軸３２を軸心としてディスク１０上を旋回するアクチュエータアーム３３と、ピボット軸３２を回転自在に支持し、アクチュエータアーム３３が結合されて支持されるピボット軸ホルダー３４と、ピボット軸ホルダー３４からアクチュエータアーム３３の反対方向に設けられ、図示していないボイスコイルモータ（ＶＣＭ：Ｖｏｉｃｅ  Ｃｏｉｌ  Ｍｏｔｏｒ）のマグネットの間に位置するようにボイスコイル（Ｖｏｉｃｅ  Ｃｏｉｌ）が巻き取られたボビン（Ｂｏｂｉｎ、図示せず）と、を備える。
【００１５】
図２は、図１のＨＤＤにおけるディスク領域の概略的な平面図であり、図３は、図１のＨＤＤにおける任意のトラックのデータフォーマットを示す図であり、図４は、図３に示したサーボセクターの詳細な構成を示す図である。
【００１６】
データを記録保存するディスク１０には、図２に示したように、サーボ（Ｓｅｒｖｏ）情報とデータ（Ｄａｔａ）情報とが保存される客体としてのトラック１２（Ｔｒａｃｋ）と、これらを回転軸心に対して等角度間隔に分割された単位客体のセクター１４（Ｓｅｃｔｏｒ）とが形成されている。
【００１７】
また、トラック１２には、図３に示したように、トラック探索（ｔｒａｃｋ  ｓｅｅｋｉｎｇ）及びトラック追従（ｔｒａｃｋ  ｆｏｌｌｏｗｉｎｇ）などのサーボ制御のためのサーボセクター１６（ｓｅｒｖｏ  ｓｅｃｔｏｒ）と、ユーザのデータを記録するためのデータセクター１８（ｄａｔａ  ｓｅｃｔｏｒ）とが交互に位置する。
【００１８】
そして、サーボセクター１６は、図４に示したように、プリアンブル１６ａ（ｐｒｅａｍｂｌｅ）と、ＳＡＭ１６ｂ（Ｓｅｒｖｏ  Ａｄｄｒｅｓｓ  Ｍａｒｋ）と、グレーコード１６ｃ（ｇｒａｙ  ｃｏｄｅ）と、バーストＡ、Ｂ、Ｃ、Ｄ１６ｄ（ｂｕｒｓｔ  Ａ、Ｂ、Ｃ、Ｄ）と、ＰＡＤ１６ｅとを含む。
【００１９】
プリアンブル１６ａは、サーボパターン判読時にクロック同期を提供すると同時に、サーボセクターの前にギャップ（ｇａｐ）を提供してサーボセクターであるということを示すものであって、サーボ同期（ｓｅｒｖｏ  ｓｙｎｃ）とも称する。そして、ＳＡＭ１６ｂは、サーボの開始を知らせて後につながるグレーコード１６ｃを読み取るための同期を提供する。即ち、ＳＡＭ１６ｂは、サーボ制御に関連した各種のタイミングパルスを生成するための基準点として提供される。一方、グレーコード１６ｃは、各トラック１２についての情報、即ち、トラック情報を提供する。バーストＡ、Ｂ、Ｃ、Ｄ１６ｄは、トラック探索及びトラック追従のために要求される位置誤差信号（ＰＥＳ：Ｐｏｓｉｔｉｏｎ  Ｅｒｒｏｒ  Ｓｉｇｎａｌ）を提供し、バーストＡ、Ｂ、Ｃ、Ｄ１６ｄは、シードサーボパターンで記録された場合を除いては、大部分がＨＤＤ１内の読み取り／書き込みヘッドによって直接記録される。最後に、ＰＡＤ１６ｅは、サーボセクターからデータセクターへのトランジションマージン（ｔｒａｎｓｉｔｉｏｎ  ｍａｒｇｉｎ）を提供する。
【００２０】
データセクター１８は、サーボセクター１６の前後に位置し、ＩＤフィールド１８ａ（ＩＤ  ｆｉｅｌｄ）とデータフィールド１８ｂ（ｄａｔａ  ｆｉｅｌｄ）とに区分される。
【００２１】
ＩＤフィールド１８ａには、当該データセクター１８を識別するためのヘッダ（ｈｅａｄｅｒ）情報が記録される。そして、データフィールド１８ｂには、ユーザが記録しようとするデジタルデータが記録される。
【００２２】
読み取り／書き込みヘッド３１を通じてデータフィールド１８ｂに記録されたデジタルデータを読み取るか、読み取り／書き込みヘッド３１を通じてデータフィールド１８ｂにデジタルデータを書き込むためには、読み取り／書き込みヘッド３１を特定トラックに選択的に位置させなければならず、読み取り／書き込みヘッド３１を特定トラックに選択的に位置させるためには、サーボセクター１６に存在するサーボパターンを読み取らなければならない。従って、サーボパターンは、データの判読及び記録において、非常に重要な役割を行う部分である。
【００２３】
図５は、本発明の一実施形態によるＨＤＤのサーボパターン記録方法のフローチャートであり、図６は、図５に記載したマスタパターンの形状を概略的に示す模式図であり、図７は、図６のＡ部分の拡大図であり、図８は、図５のマスタパターンを用いてＨＤＤのディスク上にレファレンスサーボパターンを記録する段階の原理を示す模式図であり、図９は、ディスク上に形成されたレファレンスサーボパターンを用いて最終サーボパターンを記録する原理を示す模式図である。
【００２４】
これらの図面を参照すると、本発明の一実施形態によるＨＤＤのサーボパターン記録方法は、マスタパターンを製作する段階（ステップＳ１）と、マスタパターンを用いてＨＤＤのディスク上にレファレンスサーボパターンを記録する段階（ステップＳ２）と、レファレンスサーボパターンを用いてＨＤＤのディスク上に最終サーボパターンを記録する段階（ステップＳ３）とを含む。
【００２５】
マスタパターンを製作する段階（ステップＳ１）は、ＨＤＤ１のディスク１０上にレファレンスサーボパターン３００（図９参照）を記録するためのマスタパターン１００を製作する段階である。
【００２６】
ここで、マスタパターン１００は、ディスク１０上に形成されるレファレンスサーボパターン３００と実質的に同じパターンが形成されたプリンティドメディアを言い、図６に示したように、外側から内側に向けて放射線状に形成される多数のアンモナイトサイクル１１０を有する。
【００２７】
マスタパターン１００は、ガラスなどの材質で設けられた基板にフォトレジスト層をコーティングし、該コーティングされたフォトレジスト層を露光することで、光を受けたフォトレジスト層の性質を変化させ、現像工程を通じてフォトレジスト層を選択的に除去した後、残りの部分にシリコンなどのモールドを注いで硬化させることで製作される。本実施形態の場合、マスタパターンは、コーティングされたフォトレジスト層を露光する過程で電子ビーム（Ｅ−Ｂｅａｍ）を利用し、これにより、ユーザが所望する形態のパターンを精密かつ簡便に形成させうる。
【００２８】
しかし、本発明の範囲は、マスタパターン１００の製作方法によって制限されず、本発明のマスタパターンは、基板にクロム又はアルミニウムなどの材質で設けられる金属層を蒸着させ、金属層上にフォトレジスト層をコーティングした後、フォトレジスト層に電子ビームを照射して電子ビームを受けたフォトレジスト層の性質を変化させて微細なパターンを現像し、フォトレジスト層を除去し、基板をエッチングし、金属層を除去して残りの部分にシリコンなどを注いで硬化させることで製作することもできる。
【００２９】
マスタパターン１００に形成されるアンモナイトサイクル１１０は、図６に示したように、マスタパターン１００の外周限界Ｒ１及び内周限界Ｒ２内で放射線状に多数個が形成され、ここで、外周限界Ｒ１及び内周限界Ｒ２は、ディスク１０上にレファレンスサーボパターン３００が記録されるトラック１２の限界地点に対応する地点を言う。
【００３０】
多数のアンモナイトサイクル１１０は、それぞれ、図７に示したように、等間隔に配される多数のビット１１１ａを含む多数のサイクルパターン１１１と、多数のサイクルパターン１１１の間に形成され、多数のシンクビット１１２ａを有する多数のシンクパターン１１２とを含む。
【００３１】
サイクルパターン１１１は、ＨＤＤ１のディスク１０上に記録されるレファレンスサーボパターン３００のビット３１１（図８参照）を形成するためのものであり、シンクパターン１１２は、ＨＤＤ１のディスク１０上に記録されるレファレンスサーボパターン３００のシンクビット３１２（図８参照）を形成するためのものである。ＨＤＤ１のディスク１０上に記録されるレファレンスサーボパターン３００は、一定の間隔で配される多数のビット３１１と多数のシンクビット３１２とを含む特定の形態のパターンで設けられる。これに対応して、本実施形態のマスタパターン１００のアンモナイトサイクル１１０は、レファレンスサーボパターン３００のビット３１１を形成するためのサイクルパターン１１１と、レファレンスサーボパターン３００のシンクビット３１２を形成するためのシンクパターン１１２とを含む。
【００３２】
一方、図７及び図８に詳しく示したように、シンクパターン１１２のシンクビット１１２ａは、サイクルパターン１１１の二つのビット１１１ａを合わせたサイズで設けられる。即ち、シンクパターン１１２のシンクビット１１２ａの幅は、サイクルパターン１１１のビット１１１ａの幅に比べて実質的に二倍になるように設けられて、シンクパターン１１２の周波数がサイクルパターン１１１の周波数に比べて実質的に半分の値を有するようにする。
【００３３】
マスタパターン１００及びマグネット（図示せず）を用いてディスク１０上にレファレンスサーボパターン３００を記録する場合、ディスク１０上に形成されたレファレンスサーボパターン３００の磁気フラックス（Ｍａｇｎｅｔｉｃ  Ｆｌｕｘ）は、一定の波形を描く。この場合、レファレンスサーボパターン３００の磁気フラックスの周波数は、多数のビット３１１が形成された領域で、同じ値で一定に反復されるが、シンクビット３１２が形成された領域では、多数のビット３１１が形成された領域に比べて半分の値に減る。
【００３４】
このように、ビット３１１とシンクビット３１２とのサイズを互いに異ならせることによって、ディスク１０上に形成されたレファレンスサーボパターン３００を用いて最終サーボパターン４００を記録する場合、使われなければならないレファレンスサーボパターン３００の区間、即ち、サーボサンプリング区間５００（図９参照）を正確に特定させうる。但し、必要によってシンクパターン１１２のシンクビット１１２ａのサイズは、サイクルパターン１１１のビット１１１ａのサイズの二倍よりやや大きいか、やや小さくなるように調整され、これにより、ディスク１０上に形成されるレファレンスサーボパターン３００のシンクビット３１２のサイズも調整されうる。
【００３５】
本実施形態のマスタパターン１００に設けられるアンモナイトサイクル１１０は、従来の技術と異なって、ＡＣイレーズパターン（ＡＣ  Ｅｒａｓｅ  Ｐａｔｔｅｒｎ）を含まず、サイクルパターン１１１及びシンクパターン１１２のみで構成されるので、マスタパターン１００の製作工程を単純化させうる。
【００３６】
即ち、従来技術のプリンティドメディアは、ディスク１０上に記録される４バーストサーボパターン（４Ｂｕｒｓｔ  Ｓｅｒｖｏ  Ｐａｔｔｅｒｎ）の記録品質を向上させるために、４バーストサーボパターンの２倍以上の周波数を有するＡＣイレーズパターンを必ず備えなければならない。
【００３７】
ＡＣイレーズパターンは、４バーストサーボパターンの正確な領域を形成し、プリンティドメディアを通じてディスク１０上に４バーストサーボパターンを記録する場合、発生しうるＤＣ磁化部分を除去することで、４バーストサーボパターンの品質を高める。しかし、このようなＡＣイレーズパターンは、４バーストサーボパターンのビットサイズの半分以下のサイズでプリンティドメディアに設けられなければならないので、プリンティドメディアの製作を複雑にして、プリンティドメディアの製作工程時間を増加させる問題点がある。
【００３８】
これを考慮して、本実施形態のマスタパターン１００に設けられるアンモナイトサイクル１１０は、従来のプリンティドメディア製作時に要求されるＡＣイレーズパターン部分を削除してサイクルパターン１１１及びシンクパターン１１２のみで構成されるので、上述した問題点を解決することができる。
【００３９】
一方、マスタパターンを用いてＨＤＤのディスク上にレファレンスサーボパターンを記録する段階（ステップＳ２）は、予め製作されたマスタパターン１００を用いてディスク１０上にレファレンスサーボパターン３００を記録する段階である。
【００４０】
図８に示したように、ＨＤＤのディスク上にレファレンスサーボパターンを記録する段階（ステップＳ２）は、予め製作されたマスタパターン１００をディスク１０の一側面に隣接するように配置し、ディスク１０に隣接していないマスタパターン１００の他側面にマグネット（図示せず）を接触させることで、ディスク１０を磁化させる方法で進行し、これにより、マスタパターン１００に設けられたアンモナイトサイクル１１０は、ディスク１０上にアンモナイトサイクル１１０と同じパターンを有するレファレンスサーボパターン３００で記録される。
【００４１】
一方、レファレンスサーボパターンを用いてＨＤＤのディスク上に最終サーボパターンを記録する段階（ステップＳ３）は、ディスク１０上に形成されたレファレンスサーボパターン３００を用いて最終サーボパターン４００を記録する段階である。
【００４２】
マスタパターンを用いてＨＤＤのディスク上にレファレンスサーボパターンを記録する段階（ステップＳ２）を経たディスク１０上には、図９に詳しく示したように、マスタパターン１００のアンモナイトサイクル１１０と同一な形状のレファレンスサーボパターン３００が記録されている。
【００４３】
レファレンスサーボパターン３００を用いて最終サーボパターン４００を記録する過程をサーボコピー（Ｓｅｒｖｏ  Ｃｏｐｙ）過程と言い、サーボコピー過程は、次の通りである。
【００４４】
ＨＤＤ１は、レファレンスサーボパターン３００が記録されたディスク１０のトラック１２を追従しながら、レファレンスサーボパターン３００を読み取り、レファレンスサーボパターン３００は、所定の周波数、即ち、クロック周波数に合わせて記録されている。レファレンスサーボパターン３００中でプリアンブル１６ａに合わせて読み取り／書き込みチャンネル回路のクロック周波数がロッキング（Ｌｏｃｋｉｎｇ）され、読み取り／書き込みチャンネル回路のクロック周波数がロッキングされてサーボアドレスマークが検出されると、サーボゲート信号（Ｓｅｒｖｏ  Ｇａｔｅ：ＳＧ）が発生する。読み取り／書き込みチャンネル回路は、サーボゲート信号が有効なうちに読み取り／書き込みヘッド３１を通じて読み取られるレファレンスサーボパターン３００からＳＡＭ１６ｂと、グレーコード１６ｃなどを読み取り、これらの情報に基づいて最終サーボパターン４００を作成する。特に、レファレンスサーボパターン３００を基準に最終サーボパターン４００をコピーするための区間をサーボサンプリング区間５００と言い、このようなサーボサンプリング区間５００は、レファレンスサーボパターン３００のシンクビット３１２によって特定される。
【００４５】
本実施形態によるＨＤＤのサーボパターン記録方法は、多数のアンモナイトサイクル１１０を有するマスタパターン１００を用いてＨＤＤ１のディスク１０上にレファレンスサーボパターン３００を記録させることによって、ＨＤＤ１のディスク１０上に、レファレンスサーボパターン３００の記録時間を短縮し、コストを低減し、かつユーザが所望するレファレンスサーボパターン３００を簡便に記録させうる。
【００４６】
図１０は、本発明の他の実施形態によるディスク上に形成されたレファレンスサーボパターンを用いて最終サーボパターンを記録する原理を示す模式図である。
【００４７】
本実施形態によるＨＤＤのサーボパターン記録方法は、マスタパターンを製作する段階（図示せず）と、マスタパターンを用いてＨＤＤのディスク上にレファレンスサーボパターンを記録する段階（図示せず）と、レファレンスサーボパターンを用いてＨＤＤのディスク上に最終サーボパターンを記録する段階（図示せず）とを含む。
【００４８】
本実施形態の場合、マスタパターン（図示せず）は、サーボサンプリング区間５１０にのみ断続的に形成される多数のアンモナイトサイクル（図示せず）を有し、その他の事項は、上述した実施形態と同一であるので、重複する説明は省略する。
【００４９】
ディスク１０上には、本実施形態のマスタパターン（図示せず）を用いて記録されたレファレンスサーボパターン３１０が、サーボサンプリング区間５１０にのみ断続的に設けられ、これを用いてＨＤＤ１の最終サーボパターン４１０を記録するサーボコピー過程を進行することによって、ディスク１０上に最終サーボパターン４１０が記録される。
【００５０】
本実施形態のＨＤＤのサーボパターン記録方法は、マスタパターン（図示せず）に断続的にアンモナイトサイクルを設けて、マスタパターンの製作に消耗される工程時間を減らし、ＨＤＤ１のディスク１０上に、レファレンスサーボパターン３１０の記録時間を短縮し、コストを低減し、かつユーザが所望するレファレンスサーボパターン３１０を簡便に記録させうる。
【００５１】
以上、本発明の実施形態について詳細に説明したが、本発明は、上述の実施形態に限定されるものではなく、本発明の技術的範囲から逸脱しない範囲内で多様に変更実施することが可能である。
【産業上の利用可能性】
【００５２】
本発明は、ハードディスクドライブのサーボパターン記録方法関連の技術分野に適用可能である。
【符号の説明】
【００５３】
１    ハードディスクドライブ
１０    ディスク
１２    トラック
１４    セクター
１６    サーボセクター
１８    データセクター
２０    スピンドルモータ
３０    ヘッドスタックアセンブリー（ＨＳＡ）
３１    読み取り／書き込みヘッド
３２    ピボット軸
３３    アクチュエータアーム
３４    ピボット軸ホルダー
４０    ベース
５０    印刷回路基板組立体（ＰＣＢＡ）
６０    カバー
１００    マスタパターン
１１０    アンモナイトサイクル
１１１    サイクルパターン
１１１ａ、３１１    ビット
１１２    シンクパターン
１１２ａ、３１２    シンクビット
３００、３１０    レファレンスサーボパターン
４００、４１０    最終サーボパターン
５００、５１０    サーボサンプリング区間
【図１】
2010250930.tif 000003
【図２】
2010250930.tif 000004
【図３】
2010250930.tif 000005
【図４】
2010250930.tif 000006
【図５】
2010250930.tif 000007
【図６】
2010250930.tif 000008
【図７】
2010250930.tif 000009
【図８】
2010250930.tif 000010
【図９】
2010250930.tif 000011
【図１０】
2010250930.tif 000012